(57)【要約】      （修正有）【課題】遊戯としての楽しさおよび面白さを使用者に提供することができる消しゴムを提供する。【解決手段】第１の消しゴム１０は、消しゴム本体と、消しゴム本体に形成され、載置面への載置により第１の消しゴム１０の自立を可能とした支持部１４ｃとを有し、消しゴム本体には、棒状物の差し込みおよび引き抜きを可能とし、かつ、差し込み状態で当該棒状物の保持を可能とする貫通孔１２ａおよび補助貫通孔１３ｂが形成される。【選択図】図１
2019064007.tif 000002
【特許請求の範囲】
【請求項１】
形象を模した消しゴムであって、
消しゴム本体と、
前記消しゴム本体に形成され、載置面への載置により前記消しゴムの自立を可能とする支持部とを有し、
前記消しゴム本体には、棒状物の差し込み及び引き抜きを可能とし、かつ、差し込み状態で当該棒状物の保持を可能とする貫通孔が形成される、
消しゴム。
【請求項２】
前記貫通孔は、前記棒状物の差し込み状態であって、前記支持部を前記載置面に載置する第１の状態、及び前記支持部を前記載置面から離間する第２の状態において、前記棒状物を保持可能とする、
請求項１に記載の消しゴム。
【請求項３】
前記貫通孔は、前記棒状物が差し込まれたときに当該棒状物を弾性的に保持可能な内形に形成される、
請求項１または２に記載の消しゴム。
【請求項４】
前記消しゴム本体は、着脱可能に相互接続される第１形象部と第２形象部とを有し、
前記貫通孔は、前記第１形象部と前記第２形象部の少なくとも一方に形成される、
請求項１〜３のいずれか１項に記載の消しゴム。
【請求項５】
前記消しゴムは、前記貫通孔への前記棒状物の差し込み状態において、前記第１形象部と前記第２形象部とを分離可能に構成される、
請求項４に記載の消しゴム。
【請求項６】
前記第１形象部は、頭を模した頭部であり、
前記第２形象部は、胴を模した胴部である、
請求項４または５に記載の消しゴム。
【請求項７】
前記頭部は、顔部を有し、
前記貫通孔は、前記頭部の前記顔部を除く部分に形成される、
請求項６に記載の消しゴム。
【請求項８】
前記頭部は、脳を模した脳部を有する、
請求項６または７に記載の消しゴム。
【請求項９】
前記頭部の重量は、前記胴部の重量よりも大きい、
請求項６〜８のいずれか１項に記載の消しゴム。
【請求項１０】
前記貫通孔は、前記脳部に形成される貫通孔と、当該貫通孔への棒状物の差し込みを案内するために前記頭部の前記脳部を除く部分に形成される補助貫通孔とを含む、
請求項８または９に記載の消しゴム。
【請求項１１】
前記消しゴムは、着脱可能に相互接続される第１形象部と第２形象部とを有し、
前記貫通孔は、前記第１形象部と前記第２形象部との相互接続により、連続する１個の貫通孔となる、
請求項１〜１０のいずれか１項に記載の消しゴム。
【請求項１２】
前記消しゴムは、前記貫通孔への前記棒状物の差し込み状態において、前記第１形象部と前記第２形象部とを分離可能に構成される、
請求項１１に記載の消しゴム。
【請求項１３】
前記第１形象部は、頭を模した頭部であり、
前記第２形象部は、胴を模した胴部である、
請求項１１または１２に記載の消しゴム。
【請求項１４】
前記胴部は、骨を模した外観部分を有する、
請求項１３に記載の消しゴム。
【請求項１５】
前記消しゴム本体は、着脱可能に相互接続される第３形象部と第４形象部と、前記第３形象部と前記第４形象部とは異なる第５形象部とを有し、
前記貫通孔は、前記第３形象部と前記第４形象部と前記第５形象部とに形成される、
請求項１〜１４のいずれか１項に記載の消しゴム。
【請求項１６】
前記消しゴムは、前記貫通孔への前記棒状物の差し込み状態において、前記第３形象部と前記第４形象部と前記第５形象部とを分離可能に構成される、
請求項１５に記載の消しゴム。
【請求項１７】
前記第３形象部および前記第４形象部は、頭を模した頭部であり、
前記第５形象部は、臓を模した臓部である、
請求項１５または１６に記載の消しゴム。
【請求項１８】
前記貫通孔は、前記臓部に形成される貫通孔と、当該貫通孔への棒状物の差し込みを案内するために前記頭部に形成される補助貫通孔とを含む、
請求項１７に記載の消しゴム。
【請求項１９】
前記消しゴムは、前記第１形象部と前記第２形象部の少なくとも一方にスタンプ部を有する、
請求項４〜１７のいずれか１項に記載の消しゴム。
【請求項２０】
請求項１〜１９のいずれか１項に記載の消しゴムを２以上備える、
消しゴムセット。
【請求項２１】
前記２以上の消しゴムは、外観部分の形状を異にする、
請求項２０に記載の消しゴムセット。
【請求項２２】
前記２以上の消しゴムは、請求項４〜１４のいずれか１項に記載の消しゴムであり、第１形象部の置換を可能とする、
請求項２１に記載の消しゴムセット。
【発明の詳細な説明】
【技術分野】
【０００１】
本発明は、形象を模した消しゴムと、当該消しゴムを２以上備えた消しゴムセットに関する。
【背景技術】
【０００２】
後記特許文献１には、棒状体の端部に取り付けるための穴部を有する字消材が開示されている。この字消材は、手指頭部等を模したものでおり、棒状体の端部に取り付けた状態で人体に対する指圧が行えるようになっている。
【０００３】
しかしながら、前記字消材は棒状体の端部に取り付けて指圧に使用されるものであり、使い方が限定されているため、遊戯としての楽しさおよび面白さを使用者に提供することは難しい。
【先行技術文献】
【特許文献】
【０００４】
【特許文献１】特開平０８−２８２１９３号公報
【発明の概要】
【発明が解決しようとする課題】
【０００５】
本発明が解決しようとする課題は、遊戯としての楽しさ及び面白さを使用者に提供することができる消しゴム、及び消しゴムセットを提供することにある。
【課題を解決するための手段】
【０００６】
前記課題を解決するため、本発明に係る消しゴムは、形象を模した消しゴムであって、消しゴム本体と、前記消しゴム本体に形成され、載置面への載置により前記消しゴムの自立を可能とする支持部とを有し、前記消しゴム本体には、棒状物の差し込み及び引き抜きを可能とし、かつ、差し込み状態で当該棒状物の保持を可能とする貫通孔が形成される。また、本発明に係る消しゴムセットは、前掲の消しゴムを２以上備えている。
【発明の効果】
【０００７】
本発明に係る消しゴム、及び消しゴムセットによれば、遊戯としての楽しさ及び面白さを使用者に提供することができる。
【図面の簡単な説明】
【０００８】
【図１】図１（Ａ）は本発明を適用した第１の消しゴムの前面図、図１（Ｂ）は図１（Ａ）に示した第１の消しゴムの側面図、図１（Ｃ）は図１（Ａ）に示した第１の消しゴムの第１形象部と第２形象部とを分離した状態を示す図、図１（Ｄ）は図１（Ａ）に示した第１の消しゴムの分解図である。
【図２】図２（Ａ）は本発明を適用した第２の消しゴムの前面図、図２（Ｂ）は図２（Ａ）に示した第２の消しゴムの側面図、図２（Ｃ）は図２（Ａ）に示した第２の消しゴムの第１形象部と第２形象部と第３形象部とを分離した状態を示す図（図２（Ａ）に示した第２の消しゴムの分解図）である。
【図３】図３（Ａ）は本発明を適用した第３の消しゴムの前面図、図３（Ｂ）は図３（Ａ）に示した第３の消しゴムの第１形象部と第２形象部とを分離した状態を示す図（図３（Ａ）に示した第３の消しゴムの分解図）である。
【図４】図４（Ａ）は本発明を適用した第４の消しゴムの前面図、図４（Ｂ）は図４（Ａ）に示した第４の消しゴムの第１形象部と第２形象部とを分離した状態を示す図（図４（Ａ）に示した第４の消しゴムの分解図）である。
【図５】図５（Ａ）および図５（Ｂ）は図１に示した第１の消しゴムを用いた使用方法の説明図である。
【図６】図６（Ａ）および図６（Ｂ）は図２に示した第２の消しゴムを用いた使用方法の説明図である。
【図７】図７（Ａ）および図７（Ｂ）は図３に示した第３の消しゴムを用いた使用方法の説明図である。
【図８】図８（Ａ）および図８（Ｂ）は図４に示した第４の消しゴムを用いた使用方法の説明図である。
【図９】図９は図１に示した第１の消しゴムと図２に示した第２の消しゴムの両方を用いた使用方法の説明図である。
【図１０】図１０は図１に示した第１の消しゴムと図３に示した第３の消しゴムの両方を用いた使用方法の説明図である。
【発明を実施するための形態】
【０００９】
《消しゴムの構成》
まず、図１〜図４を用いて、本発明を適用した第１〜第４の消しゴム１０〜４０の構成について説明する。
【００１０】
第１〜第４の消しゴム１０〜４０は、いずれも、形象を模した消しゴム（字消し）である。ちなみに、図１に示した第１の消しゴム１０の形象は人間に似た姿を有する妖怪であり、図２に示した第２の消しゴム２０の形象は中華まんじゅうに似た姿を有する妖怪であり、図３に示した第３の消しゴム３０の形象は馬に似た姿を有する妖怪であり、図４に示した第４の消しゴム４０の形象は恐竜に似た姿を有する妖怪である。
【００１１】
また、第１〜第４の消しゴム１０〜４０の主成分は、いずれも、合成樹脂や合成ゴムや天然ゴムやファクチス等であり、鉛筆等の筆記具によって書かれたものを消去することができる。各消しゴム１０〜４０を構成する複数の部材の色は、同じ色としてもよいし、異なる色としてもよい。また、各消しゴム１０〜４０を構成する複数の部材が眼部や口部や耳部や腕部や脚部等を有する場合には、これらの色を各部材それ自体の色と異ならせてもよい。
【００１２】
〈第１の消しゴム１０の構成〉
図１は第１の消しゴム１０を示す。なお、ここでの説明では、便宜上、図１（Ａ）の手前側を前、奥側を後、左側を左、右側を右、上側を上、下側を下と表記し、他の図についてもこれらに準じて向きを表記する。
【００１３】
第１の消しゴム１０は、図１（Ｄ）に示したように、顔部１１と脳部１２と冠部１３と胴部１４の４部材から少なくとも構成される。
【００１４】
顔部１１は顔を模したものであり、当該顔部１１には、２個の眼部１１ａと１個の口部１１ｂが前側に設けられ、耳部１１ｃが左右両側に設けられ、着脱可能に相互接続を行うための円柱状の凹部１１ｄおよび１１ｅが上下両側に設けられている。
【００１５】
脳部１２は脳を模したものであり、当該脳部１２には、棒状物ＳＴ（図５〜図９を参照）の差し込み及び引き抜きを可能とし、かつ、差し込み状態で棒状物ＳＴの保持を可能とした貫通孔１２ａが左右方向に形成され、着脱可能に相互接続を行うための円柱状の凸部１２ｂが下側に設けられている。ちなみに、貫通孔１２ａは、棒状物ＳＴが差し込まれたときに当該棒状物ＳＴを弾性的に保持可能な内形（図１では６角形）に形成される。
【００１６】
冠部１３は冠を模した略リング状を成しており、当該冠部１３には、前記貫通孔１２ａへの棒状物ＳＴの差し込みを案内するための補助貫通孔１３ｂが形成されるガイド部１３ａが左右両側に設けられる。ちなみに、補助貫通孔１３ｂそれぞれは、図１（Ａ）および図１（Ｂ）に示した組み立て形態において、前記貫通孔１２ａの一部を構成する。
【００１７】
胴部１４が胴を模したものであり、当該胴部１４には、２個の腕部１４ａが左右両側に設けられ、平坦な支持部１４ｃを有する脚部１４ｂが下側に設けられる。
【００１８】
第１の消しゴム１０は組み立て式のものであり、当該組み立ては、例えば、顔部１１の凹部１１ｄに脳部１２の凸部１２ｂを差し込んで接続し、補助貫通孔１３ｂそれぞれが脳部１２の貫通孔１２ａの両端それぞれと正対するように顔部１１と脳部１２との境界部分に冠部１３を嵌め込んで取り付け、顔部１１の凹部１１ｅに胴部１４の凸部１４ｄを差し込んで接続することによって行うことができる。
【００１９】
組み立て後の第１の消しゴム１０は、図１（Ａ）および図１（Ｂ）に示した形態となる。ちなみに、第１の消しゴム１０にあっては、顔部１１と脳部１２と冠部１３との組み合わせが頭部（符号省略）に相当し、当該頭部の重量は胴部１４の重量よりも大きい。また、前記貫通孔１２ａは、頭部の前記顔部１１を除く部分に形成される。
【００２０】
また、組み立て後の第１の消しゴム１０は、胴部１４に設けられた平坦な支持部１４ｃを利用して、図１（Ａ）および図１（Ｂ）に示した姿勢にて、机やテーブルやラック等の平らな面（載置面）に載置したときに自立させることができる。
【００２１】
さらに、組み立て後の第１の消しゴム１０は、図１（Ｃ）に示したように、顔部１１と脳部１２と冠部１３とから構成される第１形象部１０ａと、胴部１４によって構成される第２形象部１０ｂとが着脱可能に相互接続されたものであり、第１形象部１０ａと第２形象部１０ｂ（消しゴム本体）は必要に応じて分離することができる。
【００２２】
〈第２の消しゴム２０の構成〉
図２は第２の消しゴム２０を示す、なお、ここでの説明では、便宜上、図２（Ａ）の手前側を前、奥側を後、左側を左、右側を右、上側を上、下側を下と表記し、他の図についてもこれらに準じて向きを表記する。
【００２３】
第２の消しゴム２０は、図２（Ｃ）に示したように、第１頭部２１と第２頭部２２と臓部２３の少なくとも３部材から構成される。
【００２４】
第１頭部２１と第２頭部２２は頭を模したものであり、各々は涙滴形を左右に２分割したような外観を有している。第１頭部２１には、１個の眼部２１ａと第１口部２１ｂ（口部を左右に２分割した一方）が前側に設けられ、平坦な第１支持部２１ｃ（支持部を左右に２分割した一方）が下側に設けられ、第１空洞部２１ｄ（空洞部を左右に２分割した一方）が形成され、後記貫通孔２３ａへの棒状物ＳＴ（図５〜図９を参照）の差し込みを案内するための補助貫通孔２１ｅが左側に形成され、着脱可能に相互接続を行うための略鋸歯状の凹凸部２１ｆが第１頭部２１の開口縁に設けられる。ちなみに、補助貫通孔２１ｅは、図２（Ａ）および図２（Ｂ）に示した組み立て状態において、後記貫通孔２３ａの一部を構成する。
【００２５】
第２頭部２２には、１個の眼部２２ａと第２口部２２ｂ（口部を左右に２分割した他方）が前側に設けられ、平坦な第２支持部２２ｃ（支持部を左右に２分割した他方）が下側に設けられ、第２空洞部２１ｄ（空洞部を左右に２分割した他方）が形成され、後記貫通孔２３ａへの棒状物ＳＴ（図５〜図９を参照）の差し込みを案内するための補助貫通孔２２ｅが右側に形成され、着脱可能に相互接続を行うための略鋸歯状の凹凸部２２ｆが第２頭部２２の開口縁に設けられる。ちなみに、補助貫通孔２２ｅは、図２（Ａ）および図２（Ｂ）に示した組み立て形態において、後記貫通孔２３ａの一部を構成する。
【００２６】
臓部２３は臓を模したものであり、第１空洞部２１ｄと第２空洞部２１ｄとを組み合わせた空洞部（符号省略）に収容可能な形状を成す。臓部２３には、棒状物ＳＴ（図５〜図９を参照）の差し込みおよび引き抜きを可能とした貫通孔２３ａが左右方向に形成される。ちなみに、貫通孔２３ａは、棒状物ＳＴが差し込まれたときに当該棒状物ＳＴを弾性的に保持可能な内形（図２では６角形）に形成される。
【００２７】
第２の消しゴム２０は組み立て式のものであり、当該組み立ては、例えば、第１頭部２１の第１空洞部２１ｄに当該第１頭部２１の補助貫通孔２１ｅに貫通孔２３ａの一端が正対するように臓部２３を入れ、第２頭部２２の第１空洞部２２ｄを当該第２頭部２２の補助貫通孔２２ｅに貫通孔２３ａの他端が正対するように臓部２３の突出部分に被せ、第１頭部２１の凹凸部２１ｆに第２頭部２２の凹凸部２２ｆを差し込んで接続することによって行うことができる。
【００２８】
組み立て後の第２の消しゴム２０は、図２（Ａ）および図２（Ｂ）に示した形態となる。組み立て後の第２の形象消しゴム２０にあっては、第１口部２１ｂと第２口部２２とが組み合わせられて１個の口部（符号省略）となり、当該口部から臓部２３の一部が露出する。また、組み立て後の第２の消しゴム２０にあっては、第１支持部２１ｃと第２支持部２２ｃとが組み合わせられて１個の支持部（符号省略）となる。
【００２９】
この第２の消しゴム２０は、第１支持部２１ｃと第２支持部２２ｃとの組み合わせによる平坦な１個の支持部（符号省略）を利用して、図２（Ａ）および図２（Ｂ）に示した姿勢にて、机やテーブルやラック等の平らな面（載置面）に載置したときに自立させることができる。
【００３０】
また、この第２の消しゴム２０は、図２（Ｃ）に示したように、第１頭部２１から構成される第１形象部２０ａと、第２頭部２２から構成される第２形象部２０ｂとが着脱可能に相互接続されたものであり、第１形象部２０ａと第２形象部２０ｂ（消しゴム本体）は必要に応じて分離することができる。ちなみに、第２の形象消しゴム２０において、臓部２３は第１形象部２０ａおよび第２形象部２０ｂとは異なる第３形象部２０ｃを構成し、当該第３形象部２０ｃは第１形象部２０ａおよび第２形象部２０ｂとともに必要に応じて分離することができる。
【００３１】
〈第３の消しゴム３０の構成〉
図３は第３の消しゴム３０を示す。なお、ここでの説明では、便宜上、図３（Ａ）の左側を前、右側を後、奥側を左、手前側を右、上側を上、下側を下と表記し、他の図についてもこれらに準じて向きを表記する。
【００３２】
第３の消しゴム３０は、図３（Ｂ）に示したように、頭部３１と胴部３２の少なくとも２部材から構成される。
【００３３】
頭部３１は頭を模したものであり、当該頭部３１には、２個の眼部３１ａと１個の口部３１ｂが前側に設けられ、耳部３１ｃが左右両側に設けられ、着脱可能に相互接続を行うための円柱状の凹部３１ｄが下側に設けられる。
【００３４】
胴部３２は胴を模したものであり、当該胴部３２には、平坦な支持部３２ｂを有する４個の脚部３２ａが下側に設けられ、棒状物ＳＴ（図５〜図９を参照）の差し込みおよび引き抜きを可能とし、かつ、差し込み状態で棒状物ＳＴへの装着を可能とする貫通孔３２ｃが左右方向に形成され、着脱可能に相互接続を行うための円柱状の凸部３２ｄが上側に設けられる。ちなみに、貫通孔３２ｃは、棒状物ＳＴが差し込まれたときに当該棒状物ＳＴを弾性的に保持可能な内形（図３では６角形）に形成される。
【００３５】
第３の消しゴム３０は組み立て式のものであり、当該組み立ては、頭部３１の凹部３１ｄに胴部３２の凸部３２ｄを差し込んで接続することによって行うことができる。組み立て後の第３の消しゴム３０は、図３（Ａ）に示した形態となる。
【００３６】
この第３の消しゴム３０は、胴部３２に設けられた平坦な４個の支持部３２ｂを利用して、図３（Ａ）に示した姿勢にて、机やテーブルやラック等の平らな面（載置面）に載置したときに自立させることができる。
【００３７】
また、この第３の消しゴム３０は、図３（Ｂ）に示したように、頭部３１から構成される第１形象部３０ａと、胴部３２によって構成される第２形象部３０ｂとが着脱可能に相互接続されたものであり、第１形象部３０ａと第２形象部３０ｂ（消しゴム本体）は必要に応じて分離することができる。
【００３８】
〈第４の消しゴム４０の構成〉
図４は第４の消しゴム４０を示す。なお、ここでの説明では、便宜上、図４（Ａ）の左側を前、右側を後、奥側を左、手前側を右、上側を上、下側を下と表記し、他の図についてもこれらに準じて向きを表記する。
【００３９】
第４の消しゴム４０は、図４（Ｂ）に示したように、頭部４１と胴部４２の少なくとも２部材から構成される。
【００４０】
頭部４１は頭を模したものであり、当該頭部４１には、２個の眼部４１ａが上側に設けられ、１個の口部１４ｂが前側に設けられ、棒状物ＳＴ（図５〜図９を参照）の差し込みおよび引き抜きを可能とし、かつ、差し込み状態で棒状物ＳＴへの装着を可能とする貫通孔４１ｃが前後方向に形成され、着脱可能に相互接続を行うための円柱状の凹部４１ｄが後側に設けられる。ちなみに、貫通孔４１ｃは、棒状物ＳＴが差し込まれたときに当該棒状物ＳＴを弾性的に保持可能な内形（図４では６角形）に形成される。
【００４１】
胴部４２は胴を模したものであり、当該胴部４２には、２個の腕部４２ａが左右両側に設けられ、平坦な支持部４２ｃを有する２個の脚部４２ｂが左右両側に設けられ、棒状物ＳＴ（図５〜図９を参照）の差し込みおよび引き抜きを可能とし、かつ、差し込み状態で棒状物ＳＴへの装着を可能とする貫通孔４２ｄが前後方向に形成され、着脱可能に相互接続を行うための円柱状の凸部４２ｅが前側に設けられる。なお、胴部４２の上側部分は骨が露出したような外観となっている。ちなみに、貫通孔４２ｄは、棒状物ＳＴが差し込まれたときに当該棒状物ＳＴを弾性的に保持可能な内形（図４では６角形）に形成される。
【００４２】
第４の消しゴム４０は組み立て式のものであり、当該組み立ては、頭部４１の凹部４１ｄに胴部４２の凸部４２ｅを差し込んで接続することによって行うことができる。組み立て後の第４の消しゴム４０は、図４（Ａ）に示した形態となる。
【００４３】
また、組み立て後の第４の消しゴム４０にあっては、頭部４１の貫通孔４１ｃと胴部４２の貫通孔４２ｄとは、互いが段差なく直線的に連続して１個の貫通孔（符号省略）となる。
【００４４】
この第４の消しゴム４０は、胴部４２に設けられた平坦な２個の支持部４２ｃを利用して、図４（Ａ）に示した姿勢にて、机やテーブルやラック等の平らな面（載置面）に載置したときに自立させることができる。
【００４５】
また、この第４の消しゴム４０は、図４（Ｂ）に示したように、頭部４１から構成される第１形象部４０ａと、胴部４２によって構成される第２形象部４０ｂとが着脱可能に相互接続されたものであり、第１形象部４０ａと第２形象部４０ｂ（消しゴム本体）は必要に応じて分離することができる。
【００４６】
次に、図５〜図１０を用いて、前述の第１〜第４の消しゴム１０〜４０の使用方法について、作用効果を交えて説明する。
【００４７】
第１〜第４の消しゴム１０〜４０は、それぞれ単独で使用できる他、２以上を併せて使用することもできる。ちなみに、図５〜図９には棒状物ＳＴとして６角形の外形に形成される鉛筆を示してあるが、鉛筆以外のメカニカルペンシルやボールポイントペン等の筆記具を棒状物ＳＴとして使える他、剣や刀等の武器を模した専用のものを棒状物ＳＴとして使うこともできる。
【００４８】
〈第１の消しゴム１０を単独で使用する方法〉
先に述べたように、図１に示した第１の消しゴム１０は組み立て式のものであるため、組み立てまたは分解による楽しさおよび面白さを使用者に提供することができる。また、組み立て後の第１の消しゴム１０は自立が可能であるため、好みの場所に自立状態で配置することによる楽しさおよび面白さを使用者に提供することができる。
【００４９】
さらに、貫通孔１２ａは、棒状物ＳＴの差し込み状態であって、支持部１４ｃを載置面に載置する第１の状態、及び支持部１４ｃを載置面から離間する第２の状態（例えば棒状物ＳＴの使用状態）において、棒状物ＳＴを保持可能とするので、棒状物ＳＴの差し込み状態の消しゴム１０の多様な態様での遊びを使用者に提供することができる。また、棒状物ＳＴの差し込み状態（棒状物ＳＴが刺さった状態）の例えばキャラクターの多様な姿態を楽しむことができる。
【００５０】
さらに、図５に示したように、組み立て後の第１の消しゴム１０は棒状物ＳＴに装着することができる。第１の消しゴム１０を棒状物ＳＴに装着するときには、例えば、棒状物ＳＴの一端部、好ましくは先鋭端部を第１の形象消しゴム１０の一方の補助貫通孔１３ａを通じて貫通孔１２ａに差し込み、当該一端部を他方の補助貫通孔１３ａから突出させる。貫通孔１２ａに差し込まれた棒状物ＳＴは当該貫通孔１２ａによって弾性的に保持されるため、換言すれば、第１の形象消しゴム１０は棒状物ＳＴにがたつきなく装着されるため、装着状態のままで棒状物ＳＴを使うことによる楽しさおよび面白さを使用者に提供することができる。
【００５１】
さらに、図５に示したように、棒状物ＳＴに装着された第１の形象消しゴム１０は、第１形象部１０ａの貫通孔（貫通孔１２ａと補助貫通孔１３ａおよび１３ｂ）に棒状物ＳＴが差し込まれた状態において、第２形象部１０ｂを第１形象部１０ａから分離することができる。この場合の分離は、棒状物ＳＴの短辺方向への分離となる。すなわち、棒状物ＳＴには第１形象部１０ａのみが装着された状態となるため、この装着状態の変化による楽しさおよび面白さを使用者に提供することができる。
【００５２】
〈第２の消しゴム２０を単独で使用する方法〉
先に述べたように、図２に示した第２の形象消しゴム２０は組み立て式のものであるため、組み立てまたは分解による楽しさおよび面白さを使用者に提供することができる。また、組み立て後の第２の消しゴム２０は自立が可能であるため、好みの場所に自立状態で配置することによる楽しさおよび面白さを使用者に提供することができる。
【００５３】
さらに、貫通孔２３ａは、棒状物ＳＴの差し込み状態であって、支持部２１ｃ,２２ｃを載置面に載置する第１の状態、及び支持部２１ｃ,２２ｃを載置面から離間する第２の状態（例えば棒状物ＳＴの使用状態）において、棒状物ＳＴを保持可能とするので、棒状物ＳＴの差し込み状態の消しゴム１０の多様な態様での遊びを使用者に提供することができる。また、棒状物ＳＴの差し込み状態（棒状物ＳＴが刺さった状態）の例えばキャラクターの多様な姿態を楽しむことができる。
【００５４】
さらに、図６に示したように、組み立て後の第２の消しゴム２０は棒状物ＳＴに装着することができる。第２の消しゴム２０を棒状物ＳＴに装着するときには、例えば、棒状物ＳＴの一端部、好ましくは先鋭端部を第２の形象消しゴム２０の一方の補助貫通孔２２ｅを通じて貫通孔２３ａに差し込み、当該一端部を他方の補助貫通孔２１ｅから突出させる。貫通孔２３ａに差し込まれた棒状物ＳＴは当該貫通孔２３ａによって弾性的に保持されるため、換言すれば、第２の消しゴム２０は棒状物ＳＴにがたつきなく装着されるため、装着状態のままで棒状物ＳＴを使うことによる楽しさおよび面白さを使用者に提供することができる。
【００５５】
さらに、図６に示したように、棒状物ＳＴに装着された第２の消しゴム２０は、第３形象部２０ａと第４形象部２０ｂと第５形象部２０ｃに形成される貫通孔（補助貫通孔２１ｅおよび２２ｅと貫通孔２３ａ）に棒状物ＳＴが差し込まれた状態において、第３形象部２０ａと第４形象部２０ｂと第５形象部２０ｃとを分離することができる。この場合の分離は、棒状物ＳＴの長辺方向への分離となる。すなわち、第３形象部２０ａと第４形象部２０ｂと第５形象部２０ｃを棒状物ＳＴに装着された状態のまま引き離すことができるため、この装着状態の変化による楽しさおよび面白さを使用者に提供することができる。
【００５６】
〈第３の消しゴム３０を単独で使用する方法〉
先に述べたように、図３に示した第３の消しゴム３０は組み立て式のものであるため、組み立てまたは分解による楽しさおよび面白さを使用者に提供することができる。また、組み立て後の第３の消しゴム３０は自立が可能であるため、好みの場所に自立状態で配置することによる楽しさおよび面白さを使用者に提供することができる。
【００５７】
さらに、貫通孔３２ｃは、棒状物ＳＴの差し込み状態であって、支持部３２ｂを載置面に載置する第１の状態、及び支持部３２ｂを載置面から離間する第２の状態（例えば棒状物ＳＴの使用状態）において、棒状物ＳＴを保持可能とするので、棒状物ＳＴの差し込み状態の消しゴム１０の多様な態様での遊びを使用者に提供することができる。また、棒状物ＳＴの差し込み状態（棒状物ＳＴが刺さった状態）の例えばキャラクターの多様な姿態を楽しむことができる。
【００５８】
さらに、図７に示したように、組み立て後の第３の消しゴム３０は棒状物ＳＴに装着することができる。第３の消しゴム３０を棒状物ＳＴに装着するときには、例えば、棒状物ＳＴの一端部、好ましくは先鋭端部を第３の消しゴム３０の貫通孔３２ｃの一端に差し込み、当該一端部を貫通孔３２ｃの他端から突出させる。貫通孔３２ｃに差し込まれた棒状物ＳＴは当該貫通孔３２ｃによって弾性的に保持されるため、換言すれば、第３の消しゴム３０は棒状物ＳＴにがたつきなく装着されるため、装着状態のままで棒状物ＳＴを使うことによる楽しさおよび面白さを使用者に提供することができる。
【００５９】
さらに、図７に示したように、棒状物ＳＴに装着された第３の消しゴム３０は、第２形象部３０ｂの貫通孔３２ｃに棒状物ＳＴが差し込まれた状態において、第１形象部３０ａを第２形象部３０ｂから分離することができる。この場合の分離は、棒状物ＳＴの短辺方向への分離となる。すなわち、棒状物ＳＴには第２形象部３０ｂのみが装着された状態となるため、この装着状態の変化による楽しさおよび面白さを使用者に提供することができる。
【００６０】
〈第４の消しゴム４０を単独で使用する方法〉
先に述べたように、図４に示した第４の消しゴム４０は組み立て式のものであるため、組み立てまたは分解による楽しさおよび面白さを使用者に提供することができる。また、組み立て後の第４の消しゴム４０は自立が可能であるため、好みの場所に自立状態で配置することによる楽しさおよび面白さを使用者に提供することができる。
【００６１】
さらに、貫通孔４１ｃ,４２ｄは、棒状物ＳＴの差し込み状態であって、支持部３２ｂを載置面に載置する第１の状態、及び支持部３２ｂを載置面から離間する第２の状態（例えば棒状物ＳＴの使用状態）において、棒状物ＳＴを保持可能とするので、棒状物ＳＴの差し込み状態の消しゴム１０の多様な態様での遊びを使用者に提供することができる。また、棒状物ＳＴの差し込み状態（棒状物ＳＴが刺さった状態）の例えばキャラクターの多様な姿態を楽しむことができる。
【００６２】
さらに、図８に示したように、組み立て後の第４の消しゴム４０は棒状物ＳＴに装着することができる。第４の消しゴム４０を棒状物ＳＴに装着するときには、例えば、棒状物ＳＴの一端部、好ましくは先鋭端部を第４の消しゴム４０の貫通孔（貫通孔４１ｃおよび４２ｄ）の一端に差し込み、当該一端部を貫通孔の他端から突出させる。貫通孔に差し込まれた棒状物ＳＴは当該貫通孔によって弾性的に保持されるため、換言すれば、第４の消しゴム４０は棒状物ＳＴにがたつきなく装着されるため、装着状態のままで棒状物ＳＴを使うことによる楽しさおよび面白さを使用者に提供することができる。
【００６３】
さらに、図８に示したように、棒状物ＳＴに装着された第４の消しゴム４０は、第１形象部４０ａと第２形象部４０に形成される貫通孔（貫通孔４１ｃおよび４２ｄ）に棒状物ＳＴが差し込まれた状態において、第１形象部４０ａと第２形象部４０ｂを分離することができる。この場合の分離は、棒状物ＳＴの長辺方向への分離となる。すなわち、第１形象部４０ａと第２形象部４０ｂを棒状物ＳＴに装着された状態のまま引き離すことができるため、この装着状態の変化による楽しさおよび面白さを使用者に提供することができる。
【００６４】
〈２以上の消しゴムを併せて使用する方法その１〉
この方法その１は、１本の棒状物ＳＴに２以上の消しゴムを装着する方法である。図１に示した第１の消しゴム１０と図２に示した第２の消しゴム２０を併せて使用する場合を例として説明すると、先に述べたように、第１の消しゴム１０と第２の消しゴム２０はそれぞれ棒状物ＳＴに装着することができるため、図９に示したように、１本の棒状物ＳＴに並べて装着すると、この並びによる楽しさおよび面白さを使用者に提供することできる。
【００６５】
また、１本の棒状物ＳＴに第１の消しゴム１０と第２の消しゴム２０を並べて装着した状態において、第１の消しゴム１０にあっては第２形象部１０ｂを第１形象部１０ａから分離して第１形象部１０ａのみが装着された状態とすることができ、第２の消しゴム２０にあっては第３形象部２０ａと第４形象部２０ｂと第５形象部２０ｃとを分離して引き離すことができるため、第１の消しゴム１０と第２の消しゴム２０のそれぞれの装着状態の変化による楽しさおよび面白さを使用者に提供することができる。
【００６６】
前記の作用効果は、１本の棒状物ＳＴに第１の消しゴム１０と第２の消しゴム２０を並べて装着する場合に限らず、計４個の消しゴム１０〜４０から２つを選択して１本の棒状物ＳＴに装着する場合や、計４個の消しゴム１０〜４０から３つを選択して１本の棒状物ＳＴに装着する場合や、計４個の消しゴム１０〜４０の全てを１本の棒状物ＳＴに装着する場合にも同様に得ることができる。
【００６７】
〈２以上の消しゴムを併せて使用する方法その２〉
この方法その２は、２以上の消しゴムを用いて別の態様の形象消しゴムを組み立てる方法である。図１に示した第１の消しゴム１０と図３に示した第３の消しゴム３０を併せて使用する場合を例として説明すると、先に述べたように、第１の消しゴム１０は着脱可能に相互接続された第１形象部１０ａと第２形象部１０ｂとを有しており、第３の形象消しゴム３０も着脱可能に相互接続された第１形象部３０ａと第２形象部３０ｂとを有している。そのため、第１の消しゴム１０における相互接続用の凹部１１ｅおよび凸部１４ｄの形状と、第３の消しゴム３０における相互接続用の凹部３１ｄおよび凸部３２ｄの形状を同じにしておけば、図１０に示したように、第１の消しゴム１０の第１形象部１０ａを第３の消しゴム３０の第１形象部３０ａと置換したり、図示を省略したが、第３の消しゴム３０の第１形象部３０ａを第１の消しゴム１０の第１形象部１０ａと置換したりすることにより、別の態様の消しゴムを組み立てることができる。すなわち、この別の態様の消しゴムを組み立てることによる楽しさおよび面白さを使用者に提供することできる。
【００６８】
前記の作用効果は、第１の消しゴム１０と第３の消しゴム３０を併せて使用する場合に限らず、第１の消しゴム１０と第４の消しゴム４０を併せて使用する場合や、第３の消しゴム３０と第４の消しゴム４０を併せて使用する場合や、第１の消しゴム１０と第３の消しゴム３０と第４の消しゴム４０を併せて使用する場合にも同様に得ることができる。
【００６９】
《消しゴムセット》
次に、使用者に対して好適な消しゴムセットについて説明する。
【００７０】
先に述べた方法その１を可能とするための消しゴムセットとしては、図１〜図４に示した消しゴム１０〜４０のうちの少なくとも２つのセット、好ましくは形象対象が異なる（外観部分の形状を異にする）少なくとも２つのセットを挙げることができる。換言すれば、少なくとも２つの消しゴムのセットを販売すれば、このセットを購入した使用者は先に述べた方法その１を直ぐさま実行でき、かつ、前記の如き作用効果を得ることができる。
【００７１】
また、先に述べた方法その２を可能とするための消しゴムセットとしては、図１に示した消しゴム１０と図３に示した消しゴム３０と図４に示した消しゴム４０のうちの少なくとも２つのセットを挙げることができる。換言すれば、置換可能な形象部を有する少なくとも２つの消しゴムのセットを販売すれば、このセットを購入した使用者は先に述べた方法その２を直ぐさま実行でき、かつ、前記の如き作用効果を得ることができる。
【００７２】
《変形例》
次に、前述の消しゴム１０〜４０と消しゴムセットに係る変形例について説明する。
【００７３】
〈第１変形例〉各消しゴム１０〜４０に形成される貫通孔として内形が６角形のものを示したが、差し込まれた棒状物ＳＴを弾性的に保持できる内形であれば、６角形以外、例えば、円形や６角以外の多角形等の内形を採用してもよい。
【００７４】
〈第２変形例〉各消しゴム１０〜４０として組み立て状態において１つの貫通孔が形成されるものを例示したが、異なる位置に別の貫通孔が形成されることにより、２以上の貫通孔が形成されるものとしてもよい。
【００７５】
〈第３変形例〉各消しゴム１０〜４０の適当な位置、例えば、第１形象部と第２形象部の少なくとも一方にスタンプ部（スタンプ台に押し付けて紙等に特定の模様や文字等を転写する部分）を設けてもよい。このようなスタンプ部を設ければ、当該スタンプ部を使用することによる別の楽しさおよび面白さを使用者に提供することができる。
【００７６】
〈第４変形例〉第１〜第４の消しゴム１０〜４０としてキャラクターである妖怪をを例示したが、実在しない生物や物だけではなく、例えば、実在する生物や物等を模したものであってもよい。本発明に係る消しゴムは棒状物ＳＴを差し込んで当該棒状物ＳＴに装着するものであるため、幼児が使用することも考慮すると、幼児が棒状物に装着したいという欲求を満たすことのできる形状（形態）を有する形象であれば、どのような形象であってもよい。
【００７７】
〈第５変形例〉消しゴムとして構成タイプが異なる４種類の消しゴム１０〜４０を例示したが、形象対象を増加することにより、いずれかのタイプに該当する５種類以上の消しゴムを用意してもよい。
【符号の説明】
【００７８】
１０…第１の消しゴム、１０ａ…第１形象部、１０ｂ…第２形象部、１１…顔部、１２…脳部、１２ａ…貫通孔、１３…冠部、１３ｂ…補助貫通孔、１４…胴部、１４ｃ…支持部、２０…第２の消しゴム、２０ａ…第３形象部、２０ｂ…第４形象部、２０ｃ…第５形象部、２１…第１頭部、２１ｃ…第１支持部、２１ｅ…補助貫通孔、２２…第２頭部、２２ｃ…第２支持部、２２ｅ…補助貫通孔、２３…臓部、２３ａ…貫通孔、３０…第３の消しゴム、３１…頭部、３２…胴部、３２ｂ…支持部、３２ｃ…貫通孔、４０…第４の消しゴム、４１…頭部、４１ｃ…貫通孔、４２…胴部、４２ｃ…支持部、４２ｄ…貫通孔、ＳＴ…棒状物。
【図１】
2019064007.tif 000003
【図２】
2019064007.tif 000004
【図３】
2019064007.tif 000005
【図４】
2019064007.tif 000006
【図５】
2019064007.tif 000007
【図６】
2019064007.tif 000008
【図７】
2019064007.tif 000009
【図８】
2019064007.tif 000010
【図９】
2019064007.tif 000011
【図１０】
2019064007.tif 000012
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
形象を模した消しゴムであって、
消しゴム本体と、
前記消しゴム本体に形成され、載置面への載置により前記消しゴムの自立を可能とする支持部とを有し、
前記消しゴム本体には、棒状物の差し込み及び引き抜きを可能とし、かつ、差し込み状態で当該棒状物の保持を可能とする貫通孔が形成され、
前記貫通孔は、当該貫通孔への前記棒状物の差し込みを案内するために形成される補助貫通孔を含む、
消しゴム。
【請求項２】
前記貫通孔は、前記棒状物の差し込み状態であって、前記支持部を前記載置面に載置する第１の状態、及び前記支持部を前記載置面から離間する第２の状態において、前記棒状物を保持可能とする、
請求項１に記載の消しゴム。
【請求項３】
前記貫通孔は、前記棒状物が差し込まれたときに当該棒状物を弾性的に保持可能な内形に形成される、
請求項１または２に記載の消しゴム。
【請求項４】
前記消しゴム本体は、着脱可能に相互接続される第１形象部と第２形象部とを有し、
前記貫通孔は、前記第１形象部と前記第２形象部の少なくとも一方に形成される、
請求項１〜３のいずれか１項に記載の消しゴム。
【請求項５】
前記消しゴムは、前記貫通孔への前記棒状物の差し込み状態において、前記第１形象部と前記第２形象部とを分離可能に構成される、
請求項４に記載の消しゴム。
【請求項６】
前記第１形象部は、頭を模した頭部であり、
前記第２形象部は、胴を模した胴部である、
請求項４または５に記載の消しゴム。
【請求項７】
前記頭部は、顔部を有し、
前記貫通孔は、前記頭部の前記顔部を除く部分に形成される、
請求項６に記載の消しゴム。
【請求項８】
前記頭部は、脳を模した脳部を有する、
請求項６または７に記載の消しゴム。
【請求項９】
前記頭部の重量は、前記胴部の重量よりも大きい、
請求項６〜８のいずれか１項に記載の消しゴム。
【請求項１０】
前記貫通孔は、前記脳部に形成され、前記補助貫通孔は、前記頭部の前記脳部を除く部分に形成される、
請求項８または９に記載の消しゴム。
【請求項１１】
前記消しゴムは、着脱可能に相互接続される第１形象部と第２形象部とを有し、
前記貫通孔は、前記第１形象部と前記第２形象部との相互接続により、連続する１個の貫通孔となる、
請求項１〜１０のいずれか１項に記載の消しゴム。
【請求項１２】
前記消しゴムは、前記貫通孔への前記棒状物の差し込み状態において、前記第１形象部と前記第２形象部とを分離可能に構成される、
請求項１１に記載の消しゴム。
【請求項１３】
前記第１形象部は、頭を模した頭部であり、
前記第２形象部は、胴を模した胴部である、
請求項１１または１２に記載の消しゴム。
【請求項１４】
前記胴部は、骨を模した外観部分を有する、
請求項１３に記載の消しゴム。
【請求項１５】
前記消しゴム本体は、着脱可能に相互接続される第３形象部と第４形象部と、前記第３形象部と前記第４形象部とは異なる第５形象部とを有し、
前記貫通孔は、前記第３形象部と前記第４形象部と前記第５形象部とに形成される、
請求項１〜１４のいずれか１項に記載の消しゴム。
【請求項１６】
前記消しゴムは、前記貫通孔への前記棒状物の差し込み状態において、前記第３形象部と前記第４形象部と前記第５形象部とを分離可能に構成される、
請求項１５に記載の消しゴム。
【請求項１７】
前記第３形象部および前記第４形象部は、頭を模した頭部であり、
前記第５形象部は、臓を模した臓部である、
請求項１５または１６に記載の消しゴム。
【請求項１８】
前記貫通孔は、前記臓部に形成される貫通孔と、当該貫通孔への棒状物の差し込みを案内するために前記頭部に形成される補助貫通孔とを含む、
請求項１７に記載の消しゴム。
【請求項１９】
前記消しゴムは、前記第１形象部と前記第２形象部の少なくとも一方にスタンプ部を有する、
請求項４〜１７のいずれか１項に記載の消しゴム。
【請求項２０】
請求項１〜１９のいずれか１項に記載の消しゴムを２以上備える、
消しゴムセット。
【請求項２１】
前記２以上の消しゴムは、外観部分の形状を異にする、
請求項２０に記載の消しゴムセット。
【請求項２２】
前記２以上の消しゴムは、請求項４〜１４のいずれか１項に記載の消しゴムであり、第１形象部の置換を可能とする、
請求項２１に記載の消しゴムセット。
【手続補正２】
【補正対象書類名】明細書
【補正対象項目名】０００６
【補正方法】変更
【補正の内容】
【０００６】
本発明に係る消しゴムは、形象を模した消しゴムであって、消しゴム本体と、前記消しゴム本体に形成され、載置面への載置により前記消しゴムの自立を可能とする支持部とを有し、前記消しゴム本体には、棒状物の差し込み及び引き抜きを可能とし、かつ、差し込み状態で当該棒状物の保持を可能とする貫通孔が形成され、前記貫通孔は、当該貫通孔への前記棒状物の差し込みを案内するために形成される補助貫通孔を含む。また、本発明に係る消しゴムセットは、前掲の消しゴムを２以上備えている。
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
形象を模した消しゴムであって、
少なくとも第１の部材、及び第２の部材から構成される消しゴム本体と、
前記消しゴム本体に形成され、載置面への載置により前記消しゴムの自立を可能とする支持部とを備え、
前記第１の部材には、棒状物の差し込み及び引き抜きを可能とし、かつ、差し込み状態で当該棒状物の保持を可能とする貫通孔が形成され、
前記第２の部材には、当該貫通孔への前記棒状物の差し込みを案内するために形成される補助貫通孔が形成される、
消しゴム。
【請求項２】
前記貫通孔は、前記棒状物の差し込み状態であって、前記支持部を前記載置面に載置する第１の状態、及び前記支持部を前記載置面から離間する第２の状態において、前記棒状物を保持可能とする、
請求項１に記載の消しゴム。
【請求項３】
前記貫通孔は、前記棒状物が差し込まれたときに当該棒状物を弾性的に保持可能な内形に形成される、
請求項１または２に記載の消しゴム。
【請求項４】
前記消しゴム本体は、着脱可能に相互接続される第１形象部と第２形象部とを備え、
前記貫通孔は、前記第１形象部と前記第２形象部の少なくとも一方に形成される、
請求項１〜３のいずれか１項に記載の消しゴム。
【請求項５】
前記消しゴムは、前記貫通孔への前記棒状物の差し込み状態において、前記第１形象部と前記第２形象部とを分離可能に構成される、
請求項４に記載の消しゴム。
【請求項６】
前記第１形象部は、頭を模した頭部であり、
前記第２形象部は、胴を模した胴部である、
請求項４または５に記載の消しゴム。
【請求項７】
前記頭部は、顔部を有し、
前記貫通孔は、前記頭部の前記顔部を除く部分に形成される、
請求項６に記載の消しゴム。
【請求項８】
前記頭部は、脳を模した脳部を備える、
請求項６または７に記載の消しゴム。
【請求項９】
前記頭部の重量は、前記胴部の重量よりも大きい、
請求項６〜８のいずれか１項に記載の消しゴム。
【請求項１０】
前記貫通孔は、前記脳部に形成され、前記補助貫通孔は、前記頭部の前記脳部を除く部分に形成される、
請求項８または９に記載の消しゴム。
【請求項１１】
前記消しゴムは、着脱可能に相互接続される第１形象部と第２形象部とを備え、
前記貫通孔は、前記第１形象部と前記第２形象部との相互接続により、連続する１個の貫通孔となる、
請求項１〜１０のいずれか１項に記載の消しゴム。
【請求項１２】
前記消しゴムは、前記貫通孔への前記棒状物の差し込み状態において、前記第１形象部と前記第２形象部とを分離可能に構成される、
請求項１１に記載の消しゴム。
【請求項１３】
前記第１形象部は、頭を模した頭部であり、
前記第２形象部は、胴を模した胴部である、
請求項１１または１２に記載の消しゴム。
【請求項１４】
前記胴部は、骨を模した外観部分を備える、
請求項１３に記載の消しゴム。
【請求項１５】
前記消しゴム本体は、着脱可能に相互接続される第３形象部と第４形象部と、前記第３形象部と前記第４形象部とは異なる第５形象部とを備え、
前記貫通孔は、前記第３形象部と前記第４形象部と前記第５形象部とに形成される、
請求項１〜１４のいずれか１項に記載の消しゴム。
【請求項１６】
前記消しゴムは、前記貫通孔への前記棒状物の差し込み状態において、前記第３形象部と前記第４形象部と前記第５形象部とを分離可能に構成される、
請求項１５に記載の消しゴム。
【請求項１７】
前記第３形象部および前記第４形象部は、頭を模した頭部であり、
前記第５形象部は、臓を模した臓部である、
請求項１５または１６に記載の消しゴム。
【請求項１８】
前記貫通孔は、前記臓部に形成され、前記補助貫通孔は、前記貫通孔への棒状物の差し込みを案内するために前記頭部に形成される、
請求項１７に記載の消しゴム。
【請求項１９】
前記消しゴムは、前記第１形象部と前記第２形象部の少なくとも一方にスタンプ部を備える、
請求項４〜１７のいずれか１項に記載の消しゴム。
【請求項２０】
請求項１〜１９のいずれか１項に記載の消しゴムを２以上備える、
消しゴムセット。
【請求項２１】
前記２以上の消しゴムは、外観部分の形状を異にする、
請求項２０に記載の消しゴムセット。
【請求項２２】
前記２以上の消しゴムは、請求項４〜１４のいずれか１項に記載の消しゴムであり、第１形象部の置換を可能とする、
請求項２１に記載の消しゴムセット。
【手続補正２】
【補正対象書類名】明細書
【補正対象項目名】０００６
【補正方法】変更
【補正の内容】
【０００６】
本発明に係る消しゴムは、形象を模した消しゴムであって、少なくとも第１の部材、及び第２の部材から構成される消しゴム本体と、前記消しゴム本体に形成され、載置面への載置により前記消しゴムの自立を可能とする支持部とを備え、前記第１の部材には、棒状物の差し込み及び引き抜きを可能とし、かつ、差し込み状態で当該棒状物の保持を可能とする貫通孔が形成され、前記第２の部材には、当該貫通孔への前記棒状物の差し込みを案内するために形成される補助貫通孔が形成される。